(57)【要約】【課題】  無線電話機において、通話チャネルビジー時における、発信開始から発信完了までの時間を短縮する無線電話システムを提供する。【解決手段】  無線基地局２００は、通話チャネルの使用数を管理し、通話チャネルビジー時に自無線基地局２００に帰属中で、通話チャネルを使用していない無線電話機１００に対して、通話チャネルに余裕のある他の無線基地局２００への帰属を促す。無線電話機１００は、他無線基地局を探索し、探索できた他無線基地局２００に帰属する。予め他の無線基地局２００に帰属した無線電話機は、その後の発信において、通話チャネルビジー時に遭遇する確率が低く、元の無線基地局に帰属した状態を継続した場合の、通話チャネルビジーに伴う他の無線基地局の探索および他の無線基地局への迂回を回避でき、結果として発信完了までの時間を短縮することが可能となる。【選択図】図１
2017169055.tif 000002
【特許請求の範囲】
【請求項１】
複数の無線電話機と、前記無線電話機を収容する複数の無線基地局と、前記無線基地局および複数の通信網を収容する構内交換機から構成される無線電話システムにおいて、
前記無線電話機は、
自無線電話機と通信可能な範囲に存在する複数の無線基地局を探索する無線基地局探索手段と、前記無線基地局探索手段が探索した複数の無線基地局のいずれかに帰属要求を送信する帰属要求送信手段と、
を有し、
前記無線基地局は、
自無線基地局の通話チャネルの使用数を管理する通話チャネル管理手段と、自無線基地局に帰属中の無線電話機が通話チャネルを使用した場合に、前記通話チャネル管理手段により管理している通話チャネル数を参照し、通話チャネルの使用数が予め定められた使用数の上限に達したことを検出すると帰属中の通話チャネルを使用していない無線電話機に他無線基地局への帰属を要求する他無線基地局帰属要求手段と、
を有することを特徴とする発信が完了する時間を短縮する無線電話システム。
【請求項２】
請求項１に記載の無線電話システムにおいて、
前記無線電話機は、
現在の時刻を計時する時刻計時手段と、自無線電話機が通話した日時を記憶する記憶手段と、前記時刻計時手段が計時する現在時刻と前記記憶手段に記憶されている通話日時の履歴とから自無線電話機の任意の時間間隔における通話回数を計数する通話回数計数手段を有し、
前記他無線基地局への帰属を要求された無線電話機は、前記通話回数計数手段により計数した任意の時間間隔における通話回数に応じて、他無線基地局を探索するか否かを判断することを特徴とする発信が完了する時間を短縮する無線電話システム。
【発明の詳細な説明】
【技術分野】
【０００１】
本発明は、通話チャネルビジー時における、発信開始から発信完了までの時間を短縮する無線電話システムに関する。
【背景技術】
【０００２】
企業向けの無線電話システムとして、無線電話機と無線基地局と構内交換機とから構成されたシステムがよく知られている。構内交換機は、複数の無線基地局を収容し、無線基地局は、多数の無線電話機を帰属させる。また、無線基地局は、無線電話機の発信、着信、通話に対して通話チャネルを割り当てるが、無線基地局の通話チャネル数には制限がある。無線基地局の通話チャネルがすべて使用中の場合において、新たに発信を行う無線電話機があった場合、無線基地局は新たに発信を行った無線電話機にビジーを通知する。ビジーを通知された無線電話機は通話チャネルが空くのを待つ必要がある。
【０００３】
これを改善するために、通話チャネルビジーのときは、無線基地局が無線電話機からの発信に対して通話チャネルビジー信号を送信し、その通話チャネルビジー信号を受信した無線電話機は他の無線基地局の同期信号を探索し、探索できた他の無線基地局経由で発信するようにした通話チャネルビジー時の通信処理方法が知られている（例えば、特許文献１）。この特許文献１記載の通話チャネルビジー時の通信処理方法によれば、発信率を改善することができる。
【０００４】
しかしながら、特許文献１に記載された技術では、無線電話機の使用者が発信操作した場合に、無線電話機は他の無線基地局の同期信号を探索し、探索した他の無線基地局経由で発信するため、発信が完了するまでの時間がかかるという問題がある。
【先行技術文献】
【特許文献】
【０００５】
【特許文献１】特開平９−１６３４２８号公報
【発明の概要】
【発明が解決しようとする課題】
【０００６】
そこで、本発明の目的は、無線基地局の通話チャネルがすべて使用中の場合に、当該無線基地局に帰属中の無線電話機に対して、予め他の無線基地局に帰属することを促す無線電話システムを提供することにある。
【課題を解決するための手段】
【０００７】
上記課題を解決するために、本発明は複数の無線電話機と、前記無線電話機を収容する複数の無線基地局と、前記無線基地局および複数の通信網を収容する構内交換機から構成される無線電話システムにおいて、前記無線電話機は、自無線電話機と通信可能な範囲に存在する複数の無線基地局を探索する無線基地局探索手段と、前記無線基地局探索手段が探索した複数の無線基地局のいずれかに帰属要求を送信する帰属要求送信手段と、を有し、前記無線基地局は、自無線基地局の通話チャネルの使用数を管理する通話チャネル管理手段と、自無線基地局に帰属中の無線電話機が通話チャネルを使用した場合に、前記通話チャネル管理手段により管理している通話チャネル数を参照し、通話チャネルの使用数が予め定められた使用数の上限に達したことを検出すると帰属中の通話チャネルを使用していない無線電話機に他無線基地局への帰属を要求する他無線基地局帰属要求手段と、を有することを特徴とする。
【発明の効果】
【０００８】
本発明によれば、通話チャネルビジー状態の無線基地局に帰属中で、通話チャネルを使用していない無線電話機に対して、通話チャネルに余裕のある他の無線基地局への帰属を促す。これにより、予め他の無線基地局に帰属した無線電話機は、その後の発信において、通話チャネルビジーに遭遇する確率が低く、元の無線基地局に帰属した状態を継続した場合の、通話チャネルビジーに伴う他の無線基地局の探索および他の無線基地局への迂回を回避でき、結果として発信完了までの時間を短縮できるという効果がある。
【図面の簡単な説明】
【０００９】
【図１】本発明の実施例に係わる無線電話システムの全体構成を示した図である。
【図２】図１に示す無線電話機システムの機能ブロック図の一例である。
【図３】図１に示す無線電話機が無線基地局に位置登録する場合や他無線基地局探索要求および無線基地局探索要求を受信した際の処理を示す動作フローチャートである。
【図４】図１に示す無線電話機が発信操作された場合や着信信号を受信した際の処理を示す動作フローチャートである。
【図５】図１に示す無線基地局の動作フローチャートである。
【図６】無線基地局の通話チャネルが上限に達した場合と上限に達した通話チャネルに空きが発生した場合のシーケンス図である。
【発明を実施するための形態】
【００１０】
以下、本発明を適用した実施の形態を説明する。
【００１１】
図１は、本発明の実施例に係わる無線電話システムの全体構成例を示す図である。この構成例では、ユーザが使用する無線電話機１００（本実施の形態では１００−１〜１００−４）と、複数の無線基地局２００（本実施の形態では２００−１、２００−２）と、各無線基地局２００と公衆網等の網（非表示）との間を接続する構内交換機３００とを有している。
【００１２】
無線基地局２００は、構内交換機３００に接続されており、複数の独立した通話チャネル（本実施例では３個とする）を有し、各々の通話チャネルを用いて、１台の無線基地局２００において、無線電話機１００との間に同時に通話チャネル分の通話路を設定することができる。
【００１３】
また、無線基地局２００は、無線電話機１００の帰属用に１つのチャネルを有し、複数の無線電話機の帰属を可能にして、帰属、発信を行う為の情報を送受信する。
【００１４】
構内交換機３００は、公衆網等の網との回線交換機能を有して発信および着信の呼制御を管理する。
【００１５】
図２は、図１に示す無線電話システムの機能ブロック図である。
【００１６】
図２の構成は一例であり、無線電話システムとして機能するものであれば、いずれの構成も適用可能である。
【００１７】
図２において、無線電話機１００は、アンテナ部１０１、無線部１０２、音声通話での通話を司る音声入出力処理部１０４と送話器１０５と受話器１０６とスピーカ１０７と、発信操作等のため入力されるキー入力部１０８とＬＣＤなどを備えた表示部１０９、通話日時を記憶する記憶部１１０と、現在時刻を計時する時刻計時部１１４と、任意の時間間隔における通話回数を計数する通話回数計数部１１５と、上記各部の制御を行う制御部１０３から構成されている。また制御部１０３は無線電話機全体の制御を司る。
【００１８】
アンテナ部１０１は、無線基地局２００とのインターフェースであり、無線基地局２００からの各種受信信号を無線部１０２へ送信し、無線部１０２から受信した各種送信信号を無線基地局２００へ送信する。
【００１９】
無線部１０２は、無線制御全般を行うブロックである。無線部１０２は、無線基地局２００からの信号を受信する無線受信部１１１と、受信した信号の解析を行う信号解析部１１２と、制御部１０３から送信指示された信号を無線基地局２００へアンテナ部１０１を介して送信する無線送信部１１３とで構成される。
【００２０】
無線受信部１１１は、アンテナ部１０１を介して無線基地局２００より受信した各種信号を信号解析部１１２に送信する。
【００２１】
信号解析部１１２は、無線受信部１１１から受信した各種信号が、同期信号（無線基地局２００から無線電話機１００への無線基地局２００の帰属を継続するための受信信号）であるか、発信受付信号（無線基地局２００から無線電話機１００への発信の受け付けを示す受信信号）であるか、他無線基地局探索要求信号（無線基地局２００から無線電話機１００への他無線基地局の探索を要求する受信信号）であるか、無線基地局探索要求信号（無線基地局２００から無線電話機１００へ無線基地局の探索を要求する受信信号）であるかを解析し、解析結果を制御部１０３へ送信し、また無線受信部１１１より受信した信号のＲＳＳＩ（Ｒｅｃｅｉｖｅｄ  Ｓｉｇｎａｌ  Ｓｔｒｅｎｇｔｈ  Ｉｎｄｉｃａｔｏｒ：受信電界強度）値もあわせて解析し、解析したＲＳＳＩ値を制御部１０３へ送信する。
【００２２】
無線送信部１１３は、制御部１０３より送信された位置登録信号（無線電話機１００より無線基地局２００へ帰属することを通知する帰属用のチャネルを使用した信号）、および発信要求信号（無線電話機１００より無線基地局２００へ発信することを通知する帰属用のチャネルを使用した信号）、および切断要求信号（無線電話機１００より無線基地局２００へ通話の切断を通知する通話用のチャネルを使用した信号）を無線基地局２００へアンテナ部１０１を介して送信する。
【００２３】
制御部１０３は、プログラム制御により各部の動作を制御する。
【００２４】
制御部１０３は、位置登録信号、発信要求信号、切断要求信号を生成し、無線部１０２の無線送信部１１３に送信する。
【００２５】
制御部１０３は、音声入出力処理部１０４との間で音声信号の送受信を行い、送話器１０５、受話器１０６、スピーカ１０７を制御して、通話を可能とする。
【００２６】
制御部１０３は、キー入力部１０８からのマンマシンインタフェースとしてキーやスイッチの入力情報を受信して、発信および着信の応答を可能とする。
【００２７】
制御部１０３は、発信および着信の表示情報を送信して、表示部１０９で液晶ディスプレイおよびランプにて表示する。
【００２８】
制御部１０３は、通話日時の履歴を記憶部１１０に記憶する。また、制御部１０３は、記憶部１１０の通話日時の履歴を参照する。
【００２９】
制御部１０３は、時刻計時部１１４との間で現在日時情報の送受信を行う。
【００３０】
制御部１０３は、通話回数計数部１１５に通話日時、現在日時の情報を送信し、予め定められた時間間隔における通話回数を計数するように指示し、計数結果の受信を行う。
【００３１】
音声入出力処理部１０４は、送話器１０５より受信したアナログ信号をデジタル信号に変換して制御部１０３へ送信し、制御部１０３から受信したデジタル信号をアナログ信号に変換して受話器１０６またはスピーカ１０７に送信する。
【００３２】
送話器１０５は、通話中に外部より入力されたアナログ信号を音声処理部１０４に送信する。
【００３３】
受話器１０６は、通話中に音声入出力処理部１０４より受信したアナログ信号を外部に出力する。
【００３４】
スピーカ１０７は、着信中や通話中に音声入出力処理部１０４より受信したアナログ信号を外部に出力する。
【００３５】
キー入力部１０８は、キーやスイッチ等を備え、キーやスイッチ等の入力の検出を制御部１０３へ通知する。
【００３６】
表示部１０９は、ＬＣＤなどを備え制御部１０３より受信したデータを表示する。
【００３７】
記憶部１１０は、制御部１０３から通知された通話日時を記憶する。
【００３８】
時刻計時部１１４は、予め設定された日時から１分毎に日時を更新し、記憶する。また制御部１０３からの現在日時の送信要求を受信した場合は、記憶している現在日時を制御部３０２に送信する。
【００３９】
通話回数計数部１１５は、制御部１０３より通話日時の履歴、現在日時の情報を受信し、受信した情報より予め定められた時間間隔における通話回数を計数し、計数結果を制御部１０３に送信する。
【００４０】
図２に示す無線基地局２００は、アンテナ部２０１，無線部２０２、制御部２０３、記憶部２０４、構内交換機３００と接続する構内交換機Ｉ／Ｆ（インターフェース）部２０５等の各部を有する。
【００４１】
このうちアンテナ部２０１は、無線電話機１００とのインターフェースであり、無線電話機１００からの各種受信信号を無線部２０２へ送信し、無線部２０２から受信した各種送信信号を無線電話機１００へ送信する。
【００４２】
無線部２０２は、無線制御全般を行うブロックである。無線部２０２は、無線電話機１００から受信する無線受信部２０６と、受信した信号の解析を行う信号解析部２０７と、制御部２０３から送信指示された信号を無線電話機１００へアンテナ部２０１を介して送信する無線送信部２０８とで構成される。
【００４３】
無線受信部２０６は、アンテナ部２０１を介して無線電話機１００から受信した各種信号を信号解析部２０７に送信する。
【００４４】
信号解析部２０７は、無線受信部２０６から受信した各種信号が、無線電話機１００からの位置登録信号であるか、発信要求信号であるか、切断要求信号であるかを解析し、解析結果を制御部２０３へ送信する。
【００４５】
無線送信部２０８は、制御部２０３より指示された同期信号、発信受付信号、発信拒否信号、他無線基地局探索要求信号、無線基地局探索要求信号を無線電話機１００へアンテナ部２０１を介して送信する。
【００４６】
制御部２０３は、プログラム制御により各部の動作を制御する。
【００４７】
制御部２０３は、同期信号、発信受付信号、発信拒否信号、他無線基地局探索要求信号、無線基地局探索要求信号を生成し、無線部２０２の無線送信部２０８に送信する。
【００４８】
制御部２０３は、通話チャネルの現在使用数を記憶部２０４に記憶し、記憶部２０４に記憶した通話チャネルの現在使用数を参照する。
【００４９】
構内交換機Ｉ／Ｆ部２０５は、構内交換機３００と接続するための接続インターフェースであり、構内交換機３００からの各種受信信号を制御部２０３に送信し、制御部２０３からの各種送信信号を構内交換機３００に送信する。
【００５０】
図２に示す構内交換機３００は、無線基地局Ｉ／Ｆ部３０１、制御部３０２、外線Ｉ／Ｆ部３０３、信号送受信部３０４、信号解析部３０５とから構成される。
【００５１】
無線基地局Ｉ／Ｆ部３０１は、複数の無線基地局２００と接続するための接続インターフェースであり、無線基地局２００からの各種受信信号を信号送受信部３０４に送信し、信号送受信部３０４からの各種送信信号を無線基地局２００に送信する。
【００５２】
制御部３０２は、プログラム制御により各部の動作を制御する。
【００５３】
制御部３０２は、発信受付信号、切断受付信号、他無線基地局通話チャネル空き情報通知信号を生成し、生成した信号を信号送受信部３０６に送信する。
【００５４】
外線Ｉ／Ｆ部３０３は、電話網と接続するための接続インターフェースであり、電話網からの各種受信信号を制御部３０２に送信し、制御部３０２からの各種送信信号を電話網に送信する。
【００５５】
信号送受信部３０４は、各無線基地局２００から無線基地局Ｉ／Ｆ部３０１を介して各種信号を受信し、受信信号を信号解析部３０５に送信し、制御部３０２より受信した各種信号を無線基地局Ｉ／Ｆ部３０１を介して無線基地局２００に送信する。
【００５６】
信号解析部３０５は、信号送受信部３０４から受信した各種信号を解析し、受信した信号が発信要求信号であるか、切断通知信号であるか、通話チャネル空き情報通知であるかを解析し、解析結果を制御部３０２に送信する。
【００５７】
図３は、本発明の無線電話システムにおける、無線電話機１００が無線基地局２００に帰属し、他無線基地局探索要求および無線基地局探索要求を受信した場合の動作を説明するためのフローチャートである。
【００５８】
制御部１０３は、周辺無線基地局２００の探索のため無線受信部１１１に周辺無線基地局２００の同期信号を受信するように指示し、探索する制限時間として無線基地局探索タイマを起動する（Ｓ３００）。無線受信部１１１は周辺の無線基地局２００の同期信号を受信し（Ｓ３０１：Ｙｅｓ）、信号解析部１１２に送信する。信号解析部１１２は受信した同期信号の発信元無線基地局２００の固有ＩＤおよびＲＳＳＩ値を解析し、解析した無線基地局２００の固有ＩＤおよびＲＳＳＩ値を制御部１０３に送信する。制御部１０３は、信号解析部１１２より送信された無線基地局２００の固有ＩＤとＲＳＳＩ値の情報から帰属する無線基地局を選択し（Ｓ３０３）、選択した無線基地局に対する位置登録信号を生成し、無線送信部１１３に生成した位置登録信号を送信するよう指示する。無線送信部１１３は位置登録信号を無線基地局２００に送信し（Ｓ３０４）、無線基地局２００に帰属し、制御部１０３は定期的に選択した無線基地局２００の同期信号を受信するように無線受信部１１１に指示する（Ｓ３０５）。周辺の無線基地局２００の同期信号を探索タイマ内に受信できなかった場合は、ステップＳ３００に移行する（Ｓ３０２：Ｙｅｓ）。
【００５９】
次に選択無線基地局に帰属中、無線受信部１１１にて受信した信号を信号解析部１１２にて解析し、解析した結果、受信信号が他無線基地局探索要求信号であった場合（Ｓ３０６：Ｙｅｓ）、制御部１０３は、記憶部１１０に記憶された通話日時の履歴を読み出し、また時刻計時部１１４に現在時刻の送信を指示し、時刻計時部１１４から現在日時を受信する。その後通話回数計数部１１５に通話日時の履歴、現在日時の情報を送信し、現在日時より任意の時間遡った時間間隔における通話回数を計数するように指示し、通話回数計数部１１５は通話日時の履歴と現在日時とから現在日時から任意の時間遡った時間間隔に存在する通話日時の履歴数を計数し、計数結果を制御部１０３に送信する（Ｓ３０７）。制御部１０３は受信した計数結果が予め定められた通話回数以上であることを確認する（Ｓ３０８：Ｙｅｓ）。受信した計数結果が予め定められた通話回数以下の場合（Ｓ３０８：Ｎｏ）はステップ３０５に移行する。
【００６０】
その後制御部１０３は、無線受信部１１１に周辺無線基地局２００の同期信号を受信するように指示し、探索する制限時間として無線基地局探索タイマを起動し（Ｓ３０９）、無線受信部１１１は受信した同期信号を信号解析部１１２に送信する。信号解析部１１２は受信した同期信号から探索できた無線基地局２００の固有ＩＤとＲＳＳＩ値を制御部１０３に送信する。制御部１０３は、信号解析部１１２の解析結果より帰属中以外の無線基地局２００の固有ＩＤが存在するか判断し、存在した場合（Ｓ３１０：Ｙｅｓ）は帰属中以外の無線基地局２００に対する位置登録信号を生成し、無線送信部１１３に生成した位置登録信号を送信するように指示し、無線送信部１１３は位置登録信号を無線基地局２００に送信して（Ｓ３１２）、無線基地局２００に帰属し（Ｓ３１３）、制御部２０３は定期的に選択した無線基地局２００の同期信号を受信するように無線受信部１１１に指示する。無線基地局２００を探索タイマ内に、帰属中以外の無線基地局２００の同期信号を受信できなかった場合は、ステップＳ３０５に移行する（Ｓ３１１：Ｙｅｓ）。
【００６１】
次に選択無線基地局に帰属中、無線受信部１１１にて受信した信号を信号解析部１１２にて解析し、解析した結果、受信信号が無線基地局探索要求通知であった場合（Ｓ３１４：Ｙｅｓ）、制御部１０３は、無線受信部１１１に周辺無線基地局２００の同期信号を受信するように指示し、探索する制限時間として無線基地局探索タイマを起動する（Ｓ３００）。
【００６２】
図４は、本発明の無線電話システムにおける、無線電話機１００が無線基地局２００帰属中に、発信操作が為された場合や着信信号を受信した場合の動作を説明するためのフローチャートである。無線電話機１００が無線基地局２００帰属し、発信および着信が可能な待受状態より開始とする。
【００６３】
制御部１０３は、キー入力部１０８からの信号により予め定められた所定の発信操作があったことを検出する（Ｓ４００：Ｙｅｓ）と、制御部１０３は発信要求信号を生成し、無線送信部１１２に送信する。無線送信部１１２は、制御部１０３から受信した発信要求信号を帰属中無線基地局２００にアンテナ部１０１を介して送信する（Ｓ４０１）。発信操作が無い場合はステップ４０４に移行する（Ｓ４００：Ｎｏ）。
【００６４】
その後無線受信部１１１は無線基地局２００より信号を受信し、受信した信号を信号解析部１１２に送信する。信号解析部１１２は無線受信部１１１から受信した信号が応答信号であることを解析し（Ｓ４０２：Ｙｅｓ）、解析した結果を制御部１０３に送信する。制御部１０３は、通話のため音声入出力処理部１０４を制御し、また表示部１０９に通話中であることを示す情報を送信し、通話状態となる（Ｓ４０７）。応答信号を受信できない場合（Ｓ４０２：ＮＯ）、制御部１０３は信号解析部１１２から発信を拒否する信号を受信したか判断し、発信を拒否する信号を受信していない場合（Ｓ４０３：ＮＯ）はステップ４０２に移行し、発信を拒否する信号を受信した場合（Ｓ４０３：Ｙｅｓ）はステップ４００に移行する。
【００６５】
また無線受信部１１１は無線基地局２００より信号を受信し、受信した信号を信号解析部１１２にて解析し、解析した受信信号が着信信号であった（Ｓ４０４：Ｙｅｓ）場合、制御部１０３は、音声入出力処理部１０４を制御して着信報知のため出力信号をスピーカ１０７より出力し、表示部１０９に着信中であることを示す情報を送信する。その後制御部１０３は、キー入力部１０８からの信号により予め定められた所定の着信応答操作があったことを検出すると（Ｓ４０５：Ｙｅｓ）、制御部１０３は応答信号を生成し、無線送信部１１２に送信する。無線送信部１１２は、制御部１０３から受信した応答信号を帰属中無線基地局２００にアンテナ部１０１を介して送信する。また制御部１０３は、通話のため音声入出力処理部１０４を制御し、表示部１０９に通話中であることを示す情報を送信し、通話状態となる（Ｓ４０７）。着信応答操作が無い場合（Ｓ４０５：ＮＯ）、制御部１０３は信号解析部１１２から切断通知を受信したか判断し、切断通知を受信していない場合（Ｓ４０６：ＮＯ）はステップ４０５に移行し、切断通知を受信した場合（Ｓ４０６：Ｙｅｓ）はステップ４００に移行する。
【００６６】
通話状態（Ｓ４０７）に遷移後、制御部１０３は、時刻計時部１１４に現在時刻を送信するように指示し、時刻計時部１１４は現在時刻を制御部１０３に送信する。制御部１０３は、記憶部１１０に通話日時として時刻計時部１１４から受信した現在時刻を記憶する（Ｓ４０８）。
【００６７】
その後制御部１０３は、キー入力部１０８からの信号により予め定められた所定の通話切断操作が為されたことを検出すると（Ｓ４０９：Ｙｅｓ）、制御部１０３は切断信号を生成し、無線送信部１１２に送信する。無線送信部１１２は、制御部１０３から受信した切断信号を帰属中無線基地局２００にアンテナ部１０１を介して送信する（Ｓ４１１）。通話切断操作が為されない場合（Ｓ４０９：ＮＯ）、制御部１０３は信号解析部１１２から切断通知を受信したか判断し、切断通知を受信していない場合（Ｓ４１０：ＮＯ）はステップ４１１に移行し、切断通知を受信した場合（Ｓ４１０：Ｙｅｓ）はステップ４１１に移行する。
【００６８】
図５は無線基地局２００の動作を説明するためのフローチャートである。本フローは、無線基地局２００は構内交換機３００に接続され、構内交換機３００と無線基地局２００は通信可能な状態かつ無線基地局２００には無線電話機１００が帰属し、同期信号を報知している状態から開始する。
【００６９】
無線受信部２０６は、無線電話機１００より信号を受信し、受信した信号を信号解析部２０７に送信する。信号解析部２０７は、受信した信号が発信を要求する信号であることを解析し、解析した結果を制御部２０３に送信する。制御部２０３は、受信した信号が発信を要求する信号であった（Ｓ５００：Ｙｅｓ）場合は、記憶部２０４に記憶した通話チャネルの使用数を参照し、通話チャネルの使用数が予め定められた上限であるか判断し、上限で無い（Ｓ５０１：Ｎｏ）と判断すると、構内交換機３００に対する発信を要求する信号を生成し、生成した信号を構内交換機Ｉ／Ｆ部２０５を介して構内交換機３００に送信する（Ｓ５０２）。その後、制御部２０３は構内交換機３００から発信受付信号を構内交換機Ｉ／Ｆ部２０５を介して受信すると（Ｓ５０３：Ｙｅｓ）、無線電話機１００に対する応答信号を生成し、生成した応答信号を無線送信部２０８に送信し、無線送信部２０８は制御部２０３から受信した応答信号を発信要求元の無線電話機１００にアンテナ部２０１を介して送信する（Ｓ５０４）。無線電話機１００から発信を要求する信号を受信後、通話チャネルの使用数が上限であった場合（Ｓ５０１：Ｙｅｓ）や構内交換機から発信拒否信号を受信した場合（Ｓ５０５：Ｙｅｓ）、制御部２０３は無線電話機１００に対する発信を拒否する信号を生成し、生成した信号を無線送信部２０８に送信する。無線送信部２０８は、制御部２０３から受信した発信を拒否する信号を発信元無線電話機１００に送信し（Ｓ５０６）、ステップ５００に移行する。
【００７０】
また制御部２０３は、構内交換機Ｉ／Ｆ部２０５を介して、構内交換機から着信信号を受信すると（Ｓ５０７：Ｙｅｓ）、無線電話機１００に対する着信通知信号を生成し、生成した着信通知信号を無線送信部２０８に送信する。無線送信部２０８は、受信した着信通知信号を着信先無線電話機１００にアンテナ部２０１を介して送信する（Ｓ５０８）。その後、制御部２０３は信号解析部２０７から受信した信号が応答通知であるかを判断し、応答通知である場合（Ｓ５０９：Ｙｅｓ）は、構内交換機３００に対する応答通知信号を生成し、生成した応答通知信号を構内交換機１００に送信する（Ｓ５１０）。また制御部２０３は、無線電話機１００から応答通知を受信する前に、構内交換機３００から切断通知を受信した場合（Ｓ５１１：Ｙｅｓ）、無線電話機１００への着信通知の生成を停止し（Ｓ５１２）、ステップ５００に移行する。
【００７１】
無線電話機１００に応答信号を送信（Ｓ５０４）または構内交換機３００に応答通知を送信する（Ｓ５１０）と、制御部２０３は、記憶部２０４に記憶している通話チャネル使用数ｎ個をｎ＋１個に更新する（Ｓ５１３）。このとき制御部２０３は、通話チャネル使用数ｎ＋１個が予め定められた通話チャネル使用数の上限であるかを判断し（Ｓ５１４）、通話チャネルの使用数が上限であった場合（Ｓ５１４：Ｙｅｓ）、自無線基地局に帰属中の全ての無線電話機１００に対する他基地局探索要求信号を生成し、生成した他基地局探索要求信号を無線送信部２０８に送信する。無線送信部２０８は、制御部２０３から受信した他無線基地局探索要求信号を自無線基地局に帰属中の無線電話機１００にアンテナ部２０１介して送信する（Ｓ５１５）。
【００７２】
その後制御部２０３は、信号解析部２０７から受信した信号が切断通知であるかを検出し（Ｓ５１６）、受信した信号が切断通知であった場合（Ｓ５１６：Ｙｅｓ）、構内交換機３００に対する切断通知を生成し、生成した切断通知を構内交換機Ｉ／Ｆ部２０５を介して構内交換機３００に送信する（Ｓ５１７）。信号解析部２０７から切断通知が検出できない場合（Ｓ５１６：Ｎｏ）、構内交換機Ｉ／Ｆ部２０５を介して受信した信号が切断通知であるかを検出し（Ｓ５１８）、受信した信号が切断通知であった場合（Ｓ５１８：Ｙｅｓ）、通話を切断する無線電話機１００に対する切断通知を生成し、生成した切断通知を無線送信部２０８に送信する。無線送信部２０８は制御部２０３から受信した切断通知を無線電話機１００にアンテナ部２０１を介して送信する（Ｓ５１９）。
【００７３】
構内交換機３００に切断通知を送信（Ｓ５１７）または無線電話機１００に切断通知を送信（Ｓ５１９）すると、制御部２０３は、記憶部２０４に記憶している通話チャネル使用回数ｎ個をｎ−１個に更新し（Ｓ５２０）、構内交換機３００に対する通話チャネル空き情報通知信号を生成し、生成した通話チャネル空き情報通知信号を構内交換機Ｉ／Ｆ部を介して構内交換機３００に送信し（Ｓ５２１）、ステップ５００に移行する。
【００７４】
また制御部２０３は、構内交換機３００から構内交換機Ｉ／Ｆ部２０５を介して他無線基地局通話チャネル空き情報通知を受信したかを検出し（Ｓ５２２）、他無線基地局通話チャネル空き情報通知を受信した場合（Ｓ５２２：Ｙｅｓ）、自無線基地局に帰属している無線電話機１００に対する無線基地局探索要求を生成し、無線送信部２０８に送信する。無線送信部２０８は、制御部２０３から受信した無線基地局探索要求を無線電話機１００にアンテナ部２０１を介して送信する（Ｓ５２３）。他無線基地局通話チャネル空き情報通知を検出できない場合（Ｓ５２２：Ｎｏ）、ステップ５００に移行する。
【００７５】
図６は、本無線電話システムの動作を説明するためのシーケンスである。本シーケンスは、無線電話機１００が４台（１００−１、１００−２、１００−３、１００−４）と、無線基地局２００が２台（２００−１、２００−２）とを接続している構内交換機３００で構成される無線電話機システムにおいて、無線電話機１００にて受信するＲＳＳＩ値は、無線基地局２００−１のＲＳＳＩ値＞無線基地局２００−２のＲＳＳＩ値の大小関係とし、無線電話機１００が４台（１００−１、１００−２、１００−３、１００−４）とも無線基地局（２００−１）に帰属し、無線電話機の４台中２台（１００−１、１００−２）が通話中の状態から開始する。
【００７６】
図６において無線基地局２００−１は、同期信号を送信し続けている（Ｓ６００）。以降の同一内容の同期信号を送信しているため、記載を省略する。
【００７７】
無線電話機１００−３は、ユーザ操作により発信操作が行われたものとする（Ｓ６０１）。無線電話機１００−３は、無線基地局２００−１に対して発信要求を送信する（Ｓ６０２）。
【００７８】
無線基地局２００−１は、無線電話機１００−３から発信要求信号（Ｓ６０２）を受信し、記憶部２０４に記憶されている通話チャネルの使用数を確認し、通話チャネルの使用数が上限（本実施例では上限を３とする）であるか確認し、上限ではないことを確認できたら構内交換機３００に対して発信要求信号を送信する（Ｓ６０４）。
【００７９】
構内交換機３００は、無線基地局２００−１からの信号を無線基地局Ｉ／Ｆ部３０１を介して信号送受信部３０４にて受信し、受信した信号を信号解析部３０５にて送信し、信号解析部３０５は、受信信号が発信要求信号であることを解析し、制御部３０２に解析結果を送信する。制御部３０２は、信号解析部３０５からの信号により発信要求信号を受信したことを検出すると、外線網の使用が可能であるか判断し、使用可能である場合発信受付信号を生成し、生成した発信受付信号を無線基地局２００−１に送信するように信号送受信部３０４に指示する。信号送受信部３０４は、制御部３０２から受信した発信受付信号を無線基地局Ｉ／Ｆ部３０１を介して無線基地局２００−１に送信する（Ｓ６０５）。
【００８０】
無線基地局２００−１は、発信受付を受信すると、応答信号を無線電話機１００−３に対して送信し（Ｓ６０６）、記憶部２０４に記憶している通話チャネル使用数２を３に更新し、記憶部２０４に記憶する（Ｓ６０７）。
【００８１】
無線電話機１００−３は、応答信号を受信し、通話状態に移行する（Ｓ６０８）。また記憶部１１０に記憶している通話時刻の履歴に新たな通話時刻を追加する（Ｓ６０９）。
【００８２】
無線基地局２００−１は、応答信号を無線電話機１００−３に送信後、記憶部２０４に記憶している通話チャネル使用数が予め定められた使用数の上限３であるかを確認し（Ｓ６１０）、通話チャネルの使用数が上限の３であるため、自無線基地局に帰属中の無線電話機１００−４に対して他無線基地局探索要求を送信する（Ｓ６１１）。
【００８３】
無線電話機１００−４は、他無線基地局探索要求を受信すると、自無線電話機における任意の時間間隔の通話回数を計数し、計数した通話回数が予め定められた通話回数以上であったため、他無線基地局の探索を行う（Ｓ６１２）。他無線基地局探索の結果、他無線基地局２００−２の同期信号を受信できたため、無線基地局２００−２に対して、位置登録信号を送信する（Ｓ６１３）。位置登録信号を送信後は無線基地局２００−２の同期信号を受信する（Ｓ６１４）。
【００８４】
その後、無線電話機１００−１は、通話の切断操作を検出し（Ｓ６１５）、無線基地局２００−１に切断通知を送信する（Ｓ６１６）。
【００８５】
無線基地局２００−１は、無線電話機１００−１から切断信号を受信すると、構内交換機３００に切断通知を送信し（Ｓ６１７）、記憶部２０４に記憶している通話チャネルの使用数を３から２に変更し、記憶部２０４に記憶する（Ｓ６１８）。このとき通話チャネルの使用数が上限である３から減少したため、構内交換機３００に対して通話チャネル空き情報通知を送信する（Ｓ６１９）。
【００８６】
構内交換機３００は、無線基地局２００−１からの信号を無線基地局Ｉ／Ｆ部３０１を介して信号送受信部３０４にて受信し、受信した信号を信号解析部３０５にて送信する。信号解析部３０５は、受信信号が通話チャネル空き情報通知でることを解析し、制御部３０２に解析結果を送信する。制御部３０２は、信号解析部３０５からの信号により通話チャネル空き情報通知を受信したことを検出すると、信号送受信部３０４に無線基地局２００−２に送信する他無線基地局通話チャネル空き情報通知を生成し、生成した他無線基地局通話チャネル空き情報通知を無線基地局２００−２に送信するように指示する。信号送受信部３０４は、制御部３０２から受信した他無線基地局通話チャネル空き情報通知を無線基地局Ｉ／Ｆ部３０１を介して無線基地局２００−２に送信する（Ｓ６２０）。
【００８７】
無線基地局２００−２は、構内交換機３００から他無線基地局通話チャネル空き情報通知を受信すると（Ｓ６２０）、自無線基地局に帰属中の無線電話機１００−４に対して、無線基地探索要求信号を送信する（Ｓ６２１）。
【００８８】
無線電話機１００−４は、無線基地局２００−２から無線基地局探索要求を受信すると、無線基地局２００−１および２００−２からの同期信号を探索し（Ｓ６２２）、受信した同期信号を解析し、無線基地局２００−１および２００−２の内、ＲＳＳＩ値がより高い無線基地局２００−１に対して位置登録信号を送信する（Ｓ６２３）。
【００８９】
以上説明したように本発明は、通話チャネルビジー状態の無線基地局に帰属中で、通話チャネルを使用していない無線電話機に対して、通話チャネルに余裕のある他の無線基地局への帰属を促す。これにより、予め他の無線基地局に帰属した無線電話機は、その後の発信において、通話チャネルビジーに遭遇する確率が低く、元の無線基地局に帰属した状態を継続した場合の、通話チャネルビジーに伴う他の無線基地局の探索および他の無線基地局への迂回を回避でき、結果として発信完了までの時間を短縮できる。また通話チャネルビジー時に無線電話機は予め定められた時間間隔の通話回数に応じて、他の無線基地局を探索するか判断することで、日頃通話する回数が多い無線電話機を優先的に他無線基地局への帰属を促すことができる。さらに帰属中の無線基地局の電波環境は、より良い方が音声途切れの少ない通話が可能となる。そのため、無線基地局は他の無線基地局へ迂回した無線電話機に対し、自無線基地局の通話チャネルが空いたことを報知し、無線電話機は迂回元の無線基地局に帰属した方がよいか、迂回先の無線基地局に帰属した方がよいかを選択できる。
【符号の説明】
【００９０】
１００・・・無線電話機
２００・・・無線基地局
３００・・・構内交換機
１０１・・・アンテナ部
１０２・・・無線部
１０３・・・制御部
１０４・・・音声入出力処理部
１０５・・・送話器
１０６・・・受話器
１０７・・・スピーカ
１０８・・・キー入力部
１０９・・・表示部
１１０・・・記憶部
１１１・・・無線受信部
１１２・・・信号解析部
１１３・・・無線送信部
１１４・・・時刻計時部
１１５・・・通話回数計数部
２０１・・・アンテナ部
２０２・・・無線部
２０３・・・制御部
２０４・・・記憶部
２０５・・・構内交換機Ｉ／Ｆ部
２０６・・・無線受信部
２０７・・・信号解析部
２０８・・・無線送信部
３０１・・・無線基地局Ｉ／Ｆ部
３０２・・・通信制御部
３０３・・・外線Ｉ／Ｆ部
３０４・・・信号送受信部
３０５・・・信号解析部
【図１】
2017169055.tif 000003
【図２】
2017169055.tif 000004
【図３】
2017169055.tif 000005
【図４】
2017169055.tif 000006
【図５】
2017169055.tif 000007
【図６】
2017169055.tif 000008